(57)【要約】【課題】ゴルフティを合成樹脂で一体に形成して組み立て作業をなくし、かつ、ゴルフボールを載せる載置部と地面に差し込む差し込み部の間を弾性変形可能にして、ゴルフボールを打ったときに加わる高衝撃を吸収して、長寿命化、および飛散距離を可及的に短くできるようにする。【解決手段】ゴルフボール２を載せる載置部３と、地面Ｇに差し込まれる差し込み部４と、この載置部３と差し込み部４とを連結する弾性変形可能な連結部５とを合成樹脂により一体に成形し、前記連結部５は、差し込み部４の軸心方向Ｙに平行な連結柱部７と、この連結柱部７に直交する薄板部８とを前記軸心方向Ｙに沿って交互に連結して構成されている。【選択図】図１
2006341016.tif 000002
【特許請求の範囲】
【請求項１】
ゴルフボール（２）を載せる載置部（３）と、地面（Ｇ）に差し込まれる差し込み部（４）と、この載置部（３）と差し込み部（４）とを連結する弾性変形可能な連結部（５）とが合成樹脂により一体に成形されており、
前記連結部（５）は、差し込み部（４）の軸心方向（Ｙ）に平行な連結柱部（７）と、この連結柱部（７）に直交する薄板部（８）とを前記軸心方向（Ｙ）に沿って交互に連結して構成されていることを特徴とするゴルフティ。
【請求項２】
前記薄板部（８）は、差し込み部（４）の軸心方向（Ｙ）に間隔をおいて複数設けられており、前記連結柱部（７）は薄板部（８）間に一対設けられており、前記一対の連結柱部（７）は、差し込み部（４）の軸心方向（Ｙ）に直交する方向で対向するように設けられていることを特徴とする請求項１に記載のゴルフティ。
【請求項３】
前記薄板部（８）は前記差し込み部（４）と同心状の円板状に形成されており、この薄板部（８）を挟んで前記軸心方向（Ｙ）に隣り合う連結柱部（７）は、前記円板状の薄板部（８）の円周方向に互いにずらされて設けられていることを特徴とする請求項１または２に記載のゴルフティ。
【請求項４】
前記差し込み部（４）と連結部（５）の間には、その筒心が差し込み部（４）の軸心と一致する筒部（１１）が形成されており、前記筒部（１１）は前記連結部（５）の連結柱部（７）と連結されており、前記連結柱部（７）の基部（１４）側に弾性変形可能な薄肉部（１５）を形成すべく、筒部（１１）に貫通孔（１３）が形成されていることを特徴とする請求項２または３に記載のゴルフティ。
【請求項５】
前記筒部（１１）と差し込み部（４）の間には前記円板状の薄板部（８）よりも大径のフランジ部（１６）が形成されていることを特徴とする請求項３または４に記載のゴルフティ。
【発明の詳細な説明】
【技術分野】
【０００１】
本発明はゴルフに使用するゴルフティに関する。
【背景技術】
【０００２】
従来、ゴルフのティショットに使用するゴルフティとして、上端部にボール載せ面を有する筒状の本体と、この本体の下部に着脱可能に差し込まれる差し込みピン体と、前記本体内に配置されるスプリングと、本体から差し込みピン体が完全に分離してしまうのを防ぐ連結ピンとを備えたものがある（例えば特許文献１参照）。
このゴルフティは、本体のボール載せ面にゴルフボールを載せてゴルフクラブで打ったときに、本体がスプリングの弾性力に抗して移動することによって、衝撃力を吸収し、これによって破損を防止できるようになっている。
【特許文献１】特開２００３−２７５３５６号公報
【発明の開示】
【発明が解決しようとする課題】
【０００３】
従来のゴルフティは、クラブヘッドからゴルフティにかかる高衝撃を吸収する為に、本体、差し込みピン体、スプリング、連結ピン等の複数の部材を用いているため、組み立て作業が煩雑となり、製造コストが高くなっていた。
本発明は上記の事情に鑑みてなされたものであり、ゴルフティを合成樹脂で一体に形成して組み立て作業をなくし、かつ、ゴルフボールを載せる載置部と地面に差し込む差し込み部の間を弾性変形可能にして、ゴルフボールを打ったときに加わる高衝撃を吸収して、長寿命化、および飛散距離を可及的に短くできるようにしたゴルフティを提供することを目的とする。
【課題を解決するための手段】
【０００４】
本発明は、上記の課題を解決するために以下の技術的手段を講じた。
すなわち、ゴルフティは、ゴルフボールを載せる載置部と、地面に差し込まれる差し込み部と、載置部と差し込み部とを連結する弾性変形可能な連結部とが合成樹脂により一体に成形されており、前記連結部は、差し込み部の軸心方向に平行な連結柱部と、この連結柱部に直交する薄板部とを前記軸心方向に沿って交互に連結して構成されている。
これによれば、ゴルフティを合成樹脂によって一体成形することで、組み立て作業をなくし、製造コストを低減できる。しかも連結部は、連結柱部と薄板部の組み合わせによって弾性変形可能な構造になっているので、ゴルフティは、載置部に載せられたゴルフボールを打ったときの衝撃を連結部の弾性変形によって吸収できるようになる。
【０００５】
また、前記薄板部は、差し込み部の軸心方向に間隔をおいて複数設けられており、前記連結柱部は薄板部間に一対設けられており、前記一対の連結柱部は、差し込み部の軸心方向に直交する方向で対向するように設けられていることを特徴とする。
これによれば、一対の連結柱部を対向状に設けることによって、連結部は弾性変形可能な構成となりながらも、その強度を向上できる。
また、前記薄板部は、前記差し込み部と同心状の円板状に形成されており、この薄板部を挟んで前記軸心方向に隣り合う連結柱部は、前記円板状の薄板部の円周方向に互いにずらされて設けられていることを特徴とする。
【０００６】
これによれば、薄板部を挟んで隣り合う連結柱部を薄板部の円周方向に互いにずらして設けることによって、連結部の強度を向上できる。
また、前記差し込み部と連結部の間には、その筒心が差し込み部の軸心と一致する筒部が形成されており、前記筒部は前記連結部の連結柱部と連結されており、前記連結柱部の基部側に弾性変形可能な薄肉部を形成すべく、筒部に貫通孔が形成されていることを特徴とする。
これによれば、筒部と連結された連結柱部の基部側に薄肉部が形成されることによって、この連結柱部は、ゴルフボールを打ったときの衝撃を吸収しやすくなる。
【０００７】
また、前記筒部と差し込み部の間には前記円板状の薄板部よりも大径のフランジ部が形成されていることを特徴とする。
これによれば、プレイヤーは、このフランジ部に指をかけることによって、ゴルフティを地面に容易に差し込むことができるようになる。
【発明の効果】
【０００８】
本発明によれば、ゴルフティを合成樹脂で一体に形成して組み立て作業をなくし、かつ、ゴルフボールを載せる載置部と地面に差し込む差し込み部の間を弾性変形可能にして、ゴルフボールを打ったときに加わる高衝撃を吸収して、長寿命化、および飛散距離を可及的に短くできる。
【発明を実施するための最良の形態】
【０００９】
以下、図面を参照しながら本発明の実施の形態を説明する。
図１〜図５において、本発明に係るゴルフティ１は、ゴルフにおいて、ティグランドでティショットを行う場合に、ゴルフボール２を支持するために使用される。このゴルフティ１は、合成樹脂によって一体成形されており、複数の部材による組み立て作業を要さず、低コストで製造できるようになっている。
このゴルフティ１は、ゴルフボール２を載せる載置部３と、地面Ｇに差し込まれる差し込み部４と、載置部３と差し込み部４を連結する弾性変形可能な連結部５を有する。
【００１０】
載置部３は、円筒状に形成されていて、ゴルフティ１の上端部となる一端部３ａにボールを支持する複数（図例では８つ）の支持突起６を有している。支持突起６は、載置部３の一端面から載置部３の筒心方向に突出して形成されている。また、各支持突起６は、載置部３の一端面に、周方向に沿って間隔をおいて形成されている。
図１、図３に示すように、前記差し込み部４は、先細り状の中実丸棒状に形成されており、その軸心は、前記載置部３の筒心と一致するように形成されている。なお、以下、この差し込み部４の軸心に沿う方向（図１において符号Ｙで示す）を、単に「軸心方向Ｙ」という。
【００１１】
前記連結部５は、軸心方向Ｙに平行な連結柱部７と、連結柱部７と直交する薄板部８とを、軸心方向Ｙに沿って交互に連結することによって形成されている。前記薄板部８は、軸心方向Ｙに間隔をおいて複数設けられており、連結柱部７は薄板部８間に設けられて薄板部８同士を連結している。また、載置部３の他端部３ｂは、この連結柱部７と連結形成されている。
連結柱部７は、ほぼ四角柱状に形成されており、薄板部８間に２つずつ設けられている。薄板部８間の２つの連結柱部７は、軸心方向Ｙに直交する方向（図１において符号Ｘで示す水平方向、または円板状の薄板部８の半径方向をいう）で対向するように一対として設けられている。
【００１２】
薄板部８は円板状に形成されており、前記差し込み部４と同心状に形成されている。この薄板部８の中心部には、その板厚方向に貫通する孔９が形成されている。この孔９は、薄板部８と同心状の円形に形成されている。
図１、図４に示すように、側面視において薄板部８を挟んで隣り合う連結柱部７は、平面からみると円板状の薄板部８の円周方向または差し込み部４の軸心廻りに所定角度θでずらされて設けられている。この角度θは、図例では約９０°に設定されている。
また、図４に示すように、横断面における連結柱部７の一辺の長さＬは、軸心方向Ｙで隣り合う薄板部８の離間間隔Ｍとほぼ同じにされている。この実施の形態では、連結柱部７の一辺の長さＬおよび薄板部８の離間間隔Ｍは、約２ｍｍ程度とされている。
【００１３】
薄板部８の半径方向の板幅Ｎは、前記連結柱部７の一辺の長さＬとほぼ同じにされている。また、図３に示すように、この薄板部８の板厚ｔは、連結柱部７の一辺の長さＬの約１／２とされている。なお、連結柱部７の一辺の長さＬや薄板部８の離間間隔Ｍは、２ｍｍに限らず２ｍｍ未満、または２ｍｍより大きな寸法としてもよい。
このように、連結部５は、連結柱部７と薄板部８とを組み合わせて構成されることにより、全体として軸心方向Ｙに傾斜する方向に弾性変形可能な構造になる。
連結柱部７と薄板部８とを比較した場合、薄板部８が相対的に弾性変形しやすく、連結柱部７が相対的に弾性変形しにくくなっている。このような薄板部８と連結柱部７とを交互に形成することによって、連結部５は、載置部３に載せられたゴルフボール２がドライバーによって打たれたときに、ドライバーヘッドから伝わる１〜１．５ｔ程度の衝撃を吸収するように弾性変形でき、しかもその衝撃に耐えうる強度を備えることになる。
【００１４】
したがって、本発明に係るゴルフティ１は、差し込み部４が地面Ｇに差し込まれ、載置部３に載せられたゴルフボール２がゴルフクラブによって打たれた場合に、その衝撃を連結部５の弾性変形によって吸収し、これによってゴルフボール２に加わる抵抗を可及的に低減し、ゴルフティ１の飛散距離を短くすることができる。しかも、連結部５は十分な強度を有しているため、ゴルフティ１の長寿命化を実現できる。
前記差し込み部４と連結部５との間には、差し込み部４よりも外径の大きな円筒状の筒部１１が形成されている。この筒部１１は、その筒心が前記差し込み部４の軸心と一致するように形成されている。前記筒部１１は、一端部１１ａが差し込み部４によって閉塞されており、他端部１１ｂが円形の開口部１２を有していて筒心方向に開放状となっている。
【００１５】
開放状とされた筒部１１の他端部１１ｂには、連結部５の連結柱部７が連結されている。この筒部１１には、その壁部を貫通する貫通孔１３が形成されている。この貫通孔１３は、筒部１１の外周方向に沿った長孔とされており、側面視におけるこの貫通孔１３の長手方向の長さは、筒部１１の内径よりも小さく設定されている。これによって、この連結柱部７の基部１４側に弾性変形可能な薄肉部１５が形成されている。
このように、筒部１１に貫通孔１３を形成し、筒部１１に連結される連結柱部７の基部１４側に弾性変形可能な薄肉部１５を形成することによって、連結部５が弾性変形する場合に最も大きな衝撃が加わりやすいこの連結柱部７も、薄肉部１５の弾性変形によって、他の連結柱部７と同様にゴルフボール２を打ったときの衝撃を吸収できるようになる。
【００１６】
前記差し込み部４と筒部１１の間には円板状の薄板部８よりも大径のフランジ部１６が形成されている。このフランジ部１６は、ゴルフティ１を地面Ｇに差し込むときにプレイヤーの指先が当たるようになっている。このようにすることで、ゴルフティ１を地面Ｇに差し込む力をゴルフティ１に伝えやすく、容易にこの差し込みを行うことができる。
また、ゴルフティ１を使用するプレイヤーは、フランジ部１６に指先が当たった状態で、筒部１１を摘み、差し込み部４を地面Ｇに差し込む。すなわち、ゴルフティ１には、このフランジ部１６と筒部１１によってゴルフティ１を地面Ｇに差し込むときに摘まれる摘み部１７が構成されている。
【００１７】
この摘み部１７は、連結部５に比べて弾性変形しにくい構造であるので、ゴルフティ１を地面Ｇに差し込む際にこの摘み部１７を摘むことによって、ゴルフティ１を、ぐらつくことなく確実に地面Ｇに差し込むことができる。
なお、本発明は、上記の実施の形態に限らず、以下のように種々の変更・変形が可能である。
例えば、ゴルフティ１を合成樹脂製とするのが最も好ましいが、金属で一体成形することも可能である。また、載置部３は円筒状でなくてもよく、中実の円柱状、角柱状、または角筒状等の他の種々の形状を採用できる。筒部１１も円筒状に限らず、貫通孔１３を形成可能なものであれば、外径が楕円状の筒形状や多角筒状、その他の種々の形状のものを採用できる。
【００１８】
支持突起６は、ゴルフボール２を支持できる強度を有していれば、その数を８に限らず、また偶数、奇数を問わず自由に設定することができる。薄板部８間に設けられた連結柱部７の数は、少なくとも２つであればよく、３以上の複数であってもよい。連結柱部７が２つの場合は、上記実施の形態のように、対向状に配置された一対のものとすることが好ましい。
上記実施の形態では、薄板部８を挟んで隣り合う連結柱部７を薄板部８の円周方向の所定角度θ（９０°）でずらして形成していたが、この角度θは９０°に限らず、３０°、４５°、６０°その他の角度に自由に設定できる。
【００１９】
また、連結柱部７は、四角柱状のものを例示したが、これに限らず、他の多角柱状や、円柱状に形成したり、その一部の側面７ａまたは全ての側面を図５に示すように円弧状に形成するようにしてもよい。
また、図５に示すように、複数の薄板部８の直径を大小異なるように形成することもできる。また、薄板部８の板厚ｔは、連結柱部７の一辺の長さＬの約１／２とされていたが、この比に限らず、１／３、２／３、１／４その他の比を採用してもよい。
【産業上の利用可能性】
【００２０】
本発明は、ゴルフに使用するゴルフティに利用できる。
【図面の簡単な説明】
【００２１】
【図１】本発明に係るゴルフティの側面図である。
【図２】ゴルフティの平面図である。
【図３】図２のＢ−Ｂ矢示線断面図である。
【図４】図１のＡ−Ａ矢示線断面図である。
【図５】本発明に係るゴルフティの変形例を示す部分側面図である。
【符号の説明】
【００２２】
１    ゴルフティ
２    ゴルフボール
３    載置部
４    差し込み部
５    連結部
７    連結柱部
８    薄板部
１１    筒部
１３    貫通孔
１５    薄肉部
１６    フランジ部
Ｇ    地面
Ｙ    軸心方向
【図１】
2006341016.tif 000003
【図２】
2006341016.tif 000004
【図３】
2006341016.tif 000005
【図４】
2006341016.tif 000006
【図５】
2006341016.tif 000007